(57)【要約】【課題】渋滞データを精度よく生成することができる交通情報生成システム、交通情報生成装置、情報収集装置、及び渋滞度生成方法を提供する。【解決手段】車載機１０が、自車両が通過した道路区間内の走行情報を取得して保持するとともに、当該道路区間での前方車両及び後方車両の存在の有無を前後車両情報として取得して保持し、保持した走行情報及び前後車両情報に基づいてプローブデータを生成して交通情報生成装置２０へ送信する。そして、交通情報生成装置２０が、車載機１０から送信されるプローブデータに含まれる走行情報に基づいて当該車載機１０が搭載されたプローブカー１が通過した道路区間の渋滞度を判定し、当該プローブデータに含まれる前後車両情報に基づいて判定した渋滞度を補正する。【選択図】図２
2010073028.tif 000002
【特許請求の範囲】
【請求項１】
一又は複数のプローブカーに設置された情報収集装置と、センターに設置された交通情報生成装置とで構成された交通情報生成システムであって、
前記情報収集装置は、
自車両が通過した道路区間内の走行情報を収集する走行情報収集手段と、
自車両が通過した道路区間での前方車両及び後方車両の存在の有無を前後車両情報として収集する前後車両情報収集手段と、
前記走行情報収集手段により収集された走行情報と前記前後車両収集手段により前後車両情報とに基づいてプローブデータを生成するプローブデータ生成手段と、
前記プローブデータ生成手段により生成されたプローブデータを交通情報生成装置へ送信するプローブデータ送信手段と
を備え、
前記交通情報生成装置は、
前記情報収集装置から送信されるプローブデータを受信するプローブデータ受信手段と、
前記プローブデータ受信手段により受信されたプローブデータに含まれる走行情報に基づいて当該情報収集装置が搭載されたプローブカーが通過した道路区間の渋滞度を判定する渋滞度判定手段と、
前記プローブデータ受信手段により受信されたプローブデータに含まれる前後車両情報に基づいて前記渋滞度判定手段により判定された渋滞度を補正する渋滞度補正手段と
を備えたことを特徴とする交通情報生成システム。
【請求項２】
前記前後車両情報収集手段は、前方車両又は後方車両が存在する場合に、当該前方車両又は当該後方車両の自車両に対する相対速度を検出して相対速度情報として前記前後車両情報に付加し、
前記渋滞度補正手段は、プローブカーの前方又は後方に他車両が存在した場合に、前記プローブデータ受信手段により受信されたプローブデータに含まれる前後車両情報に付加された当該前方車両又は当該後方車両の相対速度情報に基づいて前記渋滞度判定手段により判定された渋滞度を補正することを特徴とする請求項１に記載の交通情報生成システム。
【請求項３】
前記前後車両情報収集手段は、前方車両及び後方車両が存在する場合に、当該前方車両及び当該後方車両の自車両に対する相対速度を検出して相対速度情報として前記前後車両情報に付加し、
前記渋滞度補正手段は、プローブカーの前方及び後方に他車両が存在した場合に、前記プローブデータ受信手段により受信されたプローブデータに含まれる前後車両情報に付加された当該前方車両の相対速度情報及び当該後方車両の相対速度情報の関係に基づいて前記渋滞度判定手段により判定された渋滞度を補正することを特徴とする請求項１に記載の交通情報生成システム。
【請求項４】
前記渋滞度補正手段は、プローブカーの前方のみに他車両が存在し、プローブカーに対して当該前方車両のほうが速かった場合に、前記渋滞度判定手段により混雑又は渋滞と判定された渋滞度を順調に補正することを特徴とする請求項２に記載の交通情報生成システム。
【請求項５】
前記渋滞度補正手段は、プローブカーの前方及び後方に他車両が存在し、プローブカーに対して当該前方車両及び当該後方車両のほうが速かった場合に、前記渋滞度判定手段により混雑又は渋滞と判定された渋滞度を順調に補正することを特徴とする請求項３に記載の交通情報生成システム。
【請求項６】
前記渋滞度補正手段は、プローブカーの前方及び後方に他車両が存在し、プローブカーに対して当該前方車両のほうが速くかつ当該後方車両のほうが遅かった場合に、前記渋滞度判定手段により混雑又は渋滞と判定された渋滞度を順調に補正することを特徴とする請求項３に記載の交通情報生成システム。
【請求項７】
前記渋滞度補正手段は、プローブカーの前方及び後方に他車両が存在しなかった場合に、前記渋滞度判定手段により混雑又は渋滞と判定された渋滞度を順調に補正することを特徴とする請求項１に記載の交通情報生成システム。
【請求項８】
一又は複数のプローブカーから送信されるプローブデータを受信するプローブデータ受信手段と、
前記プローブデータ受信手段により受信されたプローブデータに含まれる走行情報に基づいて当該プローブカーが通過した道路区間の渋滞度を判定する渋滞度判定手段と、
前記プローブデータ受信手段により受信されたプローブデータに含まれる前後車両情報に基づいて前記渋滞度判定手段により判定された渋滞度を補正する渋滞度補正手段と
を備えたことを特徴とする交通情報生成装置。
【請求項９】
自車両が通過した道路区間内の走行情報を収集する走行情報収集手段と、
自車両が通過した道路区間での前方車両及び後方車両の存在の有無を前後車両情報として前後車両情報収集手段と、
前記走行情報収集手段により収集された走行情報と前記前後車両収集手段により前後車両情報とに基づいてプローブデータを生成するプローブデータ生成手段と、
前記プローブデータ生成手段により生成されたプローブデータをセンターへ送信するプローブデータ送信手段と
を備えたことを特徴とする情報収集装置。
【請求項１０】
プローブカーが通過した道路区間内の走行情報を収集するとともに、
当該道路区間での前方車両及び後方車両の存在の有無を前後車両情報として収集し、
収集した走行情報に基づいて当該プローブカーが通過した道路区間の渋滞度を判定し、
収集した前後車両情報に基づいて判定した渋滞度を補正することを特徴とする渋滞度生成方法。
【発明の詳細な説明】
【技術分野】
【０００１】
本発明は、プローブカーにより収集される情報を用いて交通情報を生成する交通情報生成システム、交通情報生成装置、情報収集装置、及び渋滞度生成方法に関する。
【背景技術】
【０００２】
従来、プローブカーにより収集されるプローブデータとＶＩＣＳ（Vehicle Information and Communication System：登録商標）センターから送信されるＶＩＣＳデータとを融合することで信頼性の高い交通情報を生成することができる交通情報生成装置が知られている（特許文献１参照）。
【特許文献１】特開２００６−２４４２６５号公報
【発明の開示】
【発明が解決しようとする課題】
【０００３】
ところで、上記の従来技術では、交通情報を生成する際に、交通情報判定区間について、各区間を通過した車両の区間平均速度の平均値を算出し、算出した平均値をもとに、渋滞、混雑、順調などの渋滞度を判定している。このため、従来技術では、たとえば、細い街路や雪道などで車両が低速で走行すると、ほかに車両がいなくて順調にもかかわらず渋滞として渋滞度を判定してしまい、渋滞データの生成精度が低下してしまう問題がある。
【０００４】
本発明は、このような事情に鑑みてなされたものであり、その目的とするところは、渋滞データを精度よく生成することができる交通情報生成システム、交通情報生成装置、情報収集装置、及び渋滞度生成方法を提供することにある。
【課題を解決するための手段】
【０００５】
本発明は、上記の課題を解決するために、プローブカーが通過した道路区間内の走行情報を収集するとともに、当該道路区間での前方車両及び後方車両の存在の有無を前後車両情報として収集し、収集した走行情報に基づいて判定した渋滞度を収集した前後車両情報に基づいて補正することを特徴とする。
【発明の効果】
【０００６】
本発明によれば、収集した走行情報に基づいて判定した渋滞度を収集した前後車両情報に基づいて補正するので、プローブカーが通過した道路区間の渋滞度を正確に判定することができ、渋滞データの生成精度が向上する。
【発明を実施するための最良の形態】
【０００７】
以下、本発明の実施形態について図面を参照しながら説明する。
【０００８】
本発明の実施形態となる交通情報生成システムは、図１に示すように、一又は複数のプローブカー１に搭載された車載機１０と、センター２に設置された交通情報生成装置２０とで構成されている。
【０００９】
車載機１０は、自車両が通過した道路区間内の走行情報を取得して保持するとともに、当該道路区間での前方車両及び後方車両の存在の有無を前後車両情報として取得して保持し、保持した走行情報及び前後車両情報に基づいてプローブデータを生成して交通情報生成装置２０へ送信する。なお、ここで、走行情報とは、プローブカー１が通過した道路区間を一意に特定することができる情報及び当該道路区間内の走行速度を特定することができる情報をいう。
【００１０】
具体的には、車載機１０は、図２に示すように、走行情報収集部１１と、前後車両情報収集部１２と、プローブデータ生成部１３と、データ通信部（車載機側）１４と、渋滞データ利用部１５とで構成されている。なお、データ通信部（車載機側）１４及び渋滞データ利用部１５を除く各構成要素は、たとえば、マイクロコンピューター及びメモリーなどにより動作されるプログラムや当該処理が回路として組み込まれたＡＳＩＣ（Application Specific Integrated Circuit）又はＦＰＧＡ（Field Programmable Gate Array）などにより実現される。
【００１１】
走行情報収集部１１は、自車両に搭載されたＧＰＳ（Global Positioning System）センサーにより自車両が通過した道路区間内の走行情報を取得して保持する。なお、本実施形態では、走行情報の取得手段としてＧＰＳセンサー１１ａを用いているが、これに限らず、プローブカー１が通過した道路区間を一意に特定することができる情報及び当該道路区間内の走行速度を特定することができる情報を取得することができる手段であればどのようなものでもよい。
【００１２】
前後車両情報収集部１２は、自車両の前方及び後方に設置されたレーダーセンサー１２ａにより、自車両が通過した道路区間での前方車両及び後方車両の存在の有無を前後車両情報として取得して保持する。なお、前方車両又は後方車両が存在する場合には、前後車両情報収集部１２は、前述したレーダーセンサー１２ａにより、当該前方車両又は当該後方車両の自車両に対する相対速度を検出して相対速度情報として前後車両情報に付加する。また、本実施形態では、前後車両情報の取得手段としてレーダーセンサー１２ａを用いているが、これに限らず、たとえば、自車両の前方及び後方に設置された車載カメラなどにより前後車両情報を取得するようにしてもよい。
【００１３】
プローブデータ生成部１３は、走行情報収集部１１により保持された走行情報と前後車両情報収集部１２により保持された前後車両情報とに基づいてプローブデータを生成する。
【００１４】
データ通信部（車載機側）１４は、プローブデータ生成部１３により生成されたプローブデータを交通情報生成装置２０へ送信する。また、データ通信部（車載機側）１４は、交通情報生成装置２０から送信される渋滞データを受信する。なお、本実施形態では、交通情報生成装置２０との間の通信媒体として携帯電話網を用いているが、これに限らず、ＵＷＢ（Ultra Wide Band）や、ＤＳＲＣ（Dedicated Short Range Communication）、無線ＬＡＮ（Local Area Network）、地上波デジタル放送、衛星放送などを用いてもよい。
【００１５】
渋滞データ利用部１５は、交通情報生成装置２０からの渋滞データを用いて各道路区間の渋滞状況をデジタル地図上に表示する。
【００１６】
交通情報生成装置２０は、車載機１０から送信されるプローブデータに含まれる走行情報に基づいて当該車載機１０が搭載されたプローブカー１が通過した道路区間の渋滞度を判定し、当該プローブデータに含まれる前後車両情報に基づいて判定した渋滞度を補正し、判定した渋滞度又は補正した渋滞度に基づいて渋滞データを生成して車載機１０へ送信する。なお、この際の送信対象は、前述した車載機１０のみに限定されることはない。すなわち、同種の車載装置や一般のカーナビ装置などにも渋滞データを送信することができる。
【００１７】
具体的には、交通情報生成装置２０は、図２に示すように、データ通信部（装置側）２１と、速度帯域算出部２２と、渋滞度判定部２３と、渋滞度補正部２４と、渋滞データ生成部２５とで構成されている。なお、データ通信部（装置側）２１を除く各構成要素は、たとえば、マイクロコンピューター及びメモリーなどにより動作されるプログラムや当該処理が回路として組み込まれたＡＳＩＣ又はＦＰＧＡなどにより実現される。
【００１８】
データ通信部（装置側）２１は、車載機１０から送信されるプローブデータを受信する。また、データ通信部（装置側）２１は、後述する、渋滞データ生成部２５により生成された渋滞データを車載機１０へ送信する。
【００１９】
速度帯域算出部２２は、車載機１０からのプローブデータに含まれる走行情報に基づいて当該車載機１０が搭載されたプローブカー１が通過した道路区間の速度帯域を算出する。
【００２０】
渋滞度判定部２３は、速度帯域算出部２２により算出された速度帯域に基づいて当該道路区間の渋滞度を判定する。
【００２１】
渋滞度の判定の際には、図３に示すような指標が用いられる。すなわち、道路区間の属性が一般道であれば、速度帯域が時速１０ｋｍ以下の場合には当該道路区間の渋滞度を渋滞と判定し、速度帯域が時速１０ｋｍ〜２０ｋｍの場合には当該道路区間の渋滞度を混雑と判定し、速度帯域が時速２０ｋｍ以上の場合には当該道路区間の渋滞度を順調と判定する。なお、道路区間の属性が一般道以外の場合も図３に示す指標を用いて同様に判定する。
【００２２】
渋滞度補正部２４は、車載機１０からのプローブデータに含まれる前後車両情報に基づいて渋滞度判定部２３により判定された渋滞度を補正する。
【００２３】
渋滞度の補正の際には、図４に示すような指標が用いられる。すなわち、プローブカー１の前方及び後方に他車両が存在しない場合には、渋滞度判定部２３により混雑又は渋滞と判定された渋滞度を順調に補正する。また、プローブカー１の前方のみに他車両が存在し、プローブカー１に対して当該前方車両のほうが速かった場合や、プローブカー１の前方及び後方に他車両が存在し、プローブカー１に対して当該前方車両及び当該後方車両のほうが速かった、あるいは、プローブカー１に対して当該前方車両のほうが速くかつ当該後方車両のほうが遅かった場合には、プローブカー１のみが遅かったと判断することができるので、渋滞度判定部２３により混雑又は渋滞と判定された渋滞度を順調に補正する。
【００２４】
渋滞データ生成部２５は、渋滞度判定部２３により判定された渋滞度又は渋滞度補正部２４により補正された渋滞度に基づいて渋滞データを生成する。
【００２５】
つぎに、車載機１０の処理動作について図５を用いて説明する。
【００２６】
車載機１０における処理は、当該車載機１０が搭載されたプローブカー１の走行開始と同時に開始され、所定の周期で繰り返し実行される。
【００２７】
ステップＳ１０１では、走行情報収集部１１が、自車両に搭載されたＧＰＳセンサー１１ａにより自車両が通過した道路区間内の走行情報を取得して保持する。また、前後車両情報収集部１２が、自車両の前方及び後方に設置されたレーダーセンサー１２ａにより、自車両が通過した道路区間での前方車両及び後方車両の存在の有無を前後車両情報として取得して保持する。なお、前方車両又は後方車両が存在する場合には、前後車両情報収集部１２は、前述したレーダーセンサー１２ａにより、当該前方車両又は当該後方車両の自車両に対する相対速度を検出して相対速度情報として前後車両情報に付加する。その後、処理は、ステップＳ１０２に進む。
【００２８】
ステップＳ１０２では、プローブデータ生成部１３が、走行情報収集部１１により保持された走行情報と前後車両情報収集部１２により保持された前後車両情報とに基づいてプローブデータを生成する。その後、処理は、ステップＳ１０３に進む。
【００２９】
ステップＳ１０３では、データ通信部（車載機側）１４が、プローブデータ生成部１３により生成されたプローブデータを交通情報生成装置２０へ送信する。その後、処理は、ステップＳ１０１に戻る。
【００３０】
続いて、交通情報生成装置２０の処理動作について図６を用いて説明する。
【００３１】
交通情報生成装置２０における処理は、交通情報生成システムの運用開始と同時に開始され、所定の周期で繰り返し実行される。
【００３２】
ステップＳ２０１では、データ通信部（装置側）２１が、車載機１０から送信されるプローブデータを受信する。その後、処理は、ステップＳ２０２に進む。
【００３３】
ステップＳ２０２では、速度帯域算出部２２が、データ通信部（装置側）２１により受信されたプローブデータに含まれる走行情報に基づいて当該車載機１０が搭載されたプローブカー１が通過した道路区間の速度帯域を算出する。その後、処理は、ステップＳ２０３に進む。
【００３４】
ステップＳ２０３では、渋滞度判定部２３が、速度帯域算出部２２により算出された速度帯域に基づいて当該道路区間の渋滞度を判定する。その後、処理は、ステップＳ２０５に進む。
【００３５】
ステップＳ２０４では、渋滞度補正部２４が、判定した渋滞度が順調であるか否かを判断する。そして、判定した渋滞度が順調でない場合、すなわち、判定した渋滞度が混雑又は渋滞である場合には、処理は、ステップＳ２０５に進む。一方、判定した渋滞度が順調である場合には、ステップＳ２０７に進む。
【００３６】
ステップＳ２０５では、渋滞度補正部２４が、データ通信部（装置側）２１により受信されたプローブデータに含まれる前後車両情報に基づいてプローブカー１の前方又は後方に他車両が存在したか否かを判断する。そして、プローブカー１の前方及び後方に他車両が存在しなかった場合には、処理は、ステップＳ２０６に進む。
【００３７】
ステップＳ２０６では、渋滞度補正部２４が、渋滞度判定部２３により混雑又は渋滞と判定された渋滞度を順調に補正する。その後、処理は、ステップＳ２０７に進む。
【００３８】
ステップＳ２０７では、渋滞データ生成部２５が、渋滞度判定部２３により判定された渋滞度又は渋滞度補正部２４により補正された渋滞度に基づいて渋滞データを生成する。その後、処理は、ステップＳ２０８に進む。
【００３９】
ステップＳ２０８では、データ通信部（装置側）２１が、渋滞データ生成部２５により生成された渋滞データを車載機１０へ送信し、その後、処理は、ステップＳ２０１に戻る。
【００４０】
一方、ステップＳ２０５において、プローブカー１の前方又は後方に他車両が存在した場合には、処理は、ステップＳ２０９に進む。
【００４１】
ステップＳ２０９では、渋滞度補正部２４が、データ通信部（装置側）２１により受信されたプローブデータに含まれる前後車両情報に基づいてプローブカー１の前方及び後方に他車両が存在したか否かを判断する。そして、プローブカー１の前方及び後方に他車両が存在しなかった場合、すなわち、プローブカー１の前方のみに他車両が存在した場合やプローブカー１の後方のみに他車両が存在した場合には、処理は、図７に示すステップＳ３０１に進む。
【００４２】
ステップＳ３０１では、渋滞度補正部２４が、データ通信部（装置側）２１により受信されたプローブデータに含まれる前後車両情報に基づいてプローブカー１の前方のみに他車両が存在したか否かを判断する。そして、プローブカー１の前方のみに他車両が存在した場合には、処理は、ステップＳ３０２に進む。一方、プローブカー１の後方のみに他車両が存在した場合には、処理は、前述した、図６に示すステップＳ２０７（補正無し）に進む。
【００４３】
ステップＳ３０２では、渋滞度補正部２４が、データ通信部（装置側）２１により受信されたプローブデータに含まれる前後車両情報に付加された当該前方車両の相対速度情報に基づいてプローブカー１に対して前方車両のほうが速かったか否かを判断する。そして、プローブカー１に対して前方車両のほうが速かった場合には、処理は、前述した、図６に示すステップＳ２０６（補正有り）に進む。一方、プローブカー１に対して前方車両のほうが遅かった場合などには、処理は、前述した、図６に示すステップＳ２０７（補正無し）に進む。
【００４４】
一方、図６に示すステップＳ２０９において、プローブカー１の前方及び後方に他車両が存在した場合には、処理は、図８に示すステップＳ４０１に進む。
【００４５】
ステップＳ４０１では、渋滞度補正部２４が、データ通信部（装置側）２１により受信されたプローブデータに含まれる前後車両情報に付加された当該前方車両の相対速度情報に基づいてプローブカー１に対して前方車両のほうが速かったか否かを判断する。そして、プローブカー１に対して前方車両のほうが速かった場合には、処理は、ステップＳ４０２に進む。一方、プローブカー１に対して前方車両のほうが遅かった場合などには、処理は、前述した、図６に示すステップＳ２０７（補正無し）に進む。
【００４６】
ステップＳ４０２では、渋滞度補正部２４が、データ通信部（装置側）２１により受信されたプローブデータに含まれる前後車両情報に付加された当該後方車両の相対速度情報に基づいてプローブカー１に対して後方車両のほうが速かったか否かを判断する。そして、プローブカー１に対して後方車両のほうが速かった場合には、処理は、前述した、図６に示すステップＳ２０６（補正有り）に進む。一方、プローブカー１に対して後方車両のほうが遅かった場合などには、処理は、前述した、ステップＳ４０３に進む。
【００４７】
ステップＳ４０３では、渋滞度補正部２４が、データ通信部（装置側）２１により受信されたプローブデータに含まれる前後車両情報に付加された当該後方車両の相対速度情報に基づいてプローブカー１に対して後方車両のほうが遅かったか否かを判断する。そして、プローブカー１に対して後方車両のほうが遅かった場合には、処理は、前述した、図６に示すステップＳ２０６（補正有り）に進む。一方、プローブカー１と後方車両が同じ速度であった場合には、処理は、前述した、図６に示すステップＳ２０７（補正無し）に進む。
【００４８】
以上の説明から明らかなように、本発明の実施形態は、車載機１０が、自車両が通過した道路区間内の走行情報を取得して保持するとともに、当該道路区間での前方車両及び後方車両の存在の有無を前後車両情報として取得して保持し、保持した走行情報及び前後車両情報に基づいてプローブデータを生成して交通情報生成装置２０へ送信する。そして、交通情報生成装置２０が、車載機１０から送信されるプローブデータに含まれる走行情報に基づいて当該車載機１０が搭載されたプローブカー１が通過した道路区間の渋滞度を判定し、当該プローブデータに含まれる前後車両情報に基づいて判定した渋滞度を補正する。
【００４９】
このため、本発明の実施形態によれば、プローブカー１が通過した道路区間の渋滞度を正確に判定することができ、渋滞データの生成精度が向上する。また、本発明の実施形態によれば、道路区間を走行していたプローブカー１の台数が少ない場合、すなわち、当該道路区間に関するプローブデータの収集数が少ない場合でも信頼性の高い渋滞データを生成することができ、渋滞データの信頼性が向上する。
【００５０】
また、本発明の実施形態は、交通情報生成装置２０が、車載機１０からのプローブデータに含まれる前後車両情報に基づいてプローブカー１の前方又は後方に他車両が存在したと判断した場合には当該前後車両情報に付加された当該前方車両又は当該後方車両の相対速度情報に基づいて判定した渋滞度を補正し、車載機１０からのプローブデータに含まれる前後車両情報に基づいてプローブカー１の前方及び後方に他車両が存在したと判断した場合には車載機１０からのプローブデータに含まれる前後車両情報に付加された当該前方車両の相対速度情報及び当該前方車両の相対速度情報の関係に基づいて判定した渋滞度を補正する。
【００５１】
このため、本発明の実施形態によれば、他車両に制限されることなくプローブカー１が走行していた場合の当該道路区間の渋滞度を正確に判定することができ、渋滞データの生成精度がさらに向上する。
【００５２】
以上、本発明者によってなされた発明を適用した一実施形態について説明したが、本実施形態による開示の一部をなす論述及び図面により本発明が限定されることはない。すなわち、本実施形態に基づいて当業者によってなされる、他の実施形態、運用技術、及び実施例などは本発明の範囲にすべて含まれることを付け加えておく。
【図面の簡単な説明】
【００５３】
【図１】本発明の実施形態となる交通情報生成システムの構成を示すシステム構成図である。
【図２】本発明の実施形態に係る車載機及び交通情報生成装置の構成を示すブロック図である。
【図３】本発明の実施形態に係る交通情報生成装置における渋滞度を判定する際の指標を示す指標図である。
【図４】本発明の実施形態に係る交通情報生成装置における渋滞度を補正する際の指標を示す指標図である。
【図５】本発明の実施形態に係る車載機の処理動作を示すフローチャートである。
【図６】本発明の実施形態に係る交通情報生成装置の処理動作を示すフローチャート（その１）である。
【図７】本発明の実施形態に係る交通情報生成装置の処理動作を示すフローチャート（その２）である。
【図８】本発明の実施形態に係る交通情報生成装置の処理動作を示すフローチャート（その３）である。
【符号の説明】
【００５４】
１  プローブカー
１０  車載機（情報収集装置）
１１  走行情報収集部（走行情報収集手段）
１１ａ  ＧＰＳセンサー（走行情報収集手段）
１２  前後車両情報収集部（前後車両情報収集手段）
１２ａ  レーダーセンサー（前後車両情報収集手段）
１３  プローブデータ生成部（プローブデータ生成手段）
１４  データ通信部（プローブデータ送信手段）
１５  渋滞データ利用部
２  センター
２０  交通情報生成装置
２１  データ通信部（プローブデータ受信手段）
２２  速度帯域算出部（渋滞度判定手段）
２３  渋滞度判定部（渋滞度判定手段）
２４  渋滞度補正部（渋滞度補正手段）
２５  渋滞データ生成部
【図１】
2010073028.tif 000003
【図２】
2010073028.tif 000004
【図３】
2010073028.tif 000005
【図４】
2010073028.tif 000006
【図５】
2010073028.tif 000007
【図６】
2010073028.tif 000008
【図７】
2010073028.tif 000009
【図８】
2010073028.tif 000010